(57)【特許請求の範囲】
【請求項１】
背面の臀部まわりと対応する部分である上方部分、大腿外側面の大転子と対応する部分である第１の外側部分、大腿外側面の大転子よりも下方の部分と対応する部分である第２の外側部分、および、大腿の正面と対応する部分である正面部分を含む大腿強緊締力部を備え、
前記正面部分は、上端が前記第２の外側部分と連続し、前記第１の外側部分および前記第２の外側部分を大腿の外側面に押さえつけるものであり、大腿の内側面側に向かうにつれて下方側に傾斜し、
前記第１の外側部分の緊締力が前記第２の外側部分の緊締力よりも弱い
下肢用衣類。
【請求項２】
前記正面部分は、前記第２の外側部分から大腿の内側面側に向かうにつれて下方側に傾斜する帯形状を有する
請求項１に記載の下肢用衣類。
【請求項３】
臀部の外縁と対応する部分である臀部強緊締力部をさらに備える
請求項１または２に記載の下肢用衣類。
【請求項４】
大腿正面における大腿の付け根の内側と対応する部分が前記大腿強緊締力部の緊締力よりも弱い
請求項１〜３のいずれか一項に記載の下肢用衣類。
【請求項５】
前記大腿強緊締力部は、前記正面部分の下端部である大腿内側の部分から内腿を通過して臀部の内側部分の下端に向けて伸びる第１の背面部分をさらに含む
請求項１〜４のいずれか一項に記載の下肢用衣類。
【請求項６】
前記第１の背面部分の形状が縦長形状である
請求項５に記載の下肢用衣類。
【請求項７】
前記第１の背面部分よりも大腿内側に形成され、前記第１の背面部分に沿って上下方向に伸びる内腿弱緊締力部をさらに備える
請求項６に記載の下肢用衣類。
【請求項８】
前記大腿強緊締力部は、前記第１の外側部分および前記第２の外側部分の少なくとも一方と繋がり、大腿背面のうちの上方と対応する部分である第２の背面部分をさらに含む
請求項５〜７のいずれか一項に記載の下肢用衣類。
【請求項９】
前記第２の背面部分の大腿内側の部分が前記第１の背面部分と繋がる
請求項８に記載の下肢用衣類。
【請求項１０】
前記第２の外側部分の横方向の緊締力が前記第２の外側部分の縦方向の緊締力よりも強い
請求項１〜９のいずれか一項に記載の下肢用衣類。
【請求項１１】
前記大腿強緊締力部は、緊締力の弱い部分を構成する繊維材料とは異なる繊維材料をさらに含むことにより形成された部分である
請求項１〜１０のいずれか一項に記載の下肢用衣類。
【発明の詳細な説明】
【技術分野】
【０００１】
本発明は、臀部の形状を補正することに寄与する下肢用衣類に関する。
【背景技術】
【０００２】
臀部の形状を美しく見せるための下肢用衣類が知られている。多くの下肢用衣類は主に臀部と対応する部分に緊締力が強い部分を形成し、その部分により臀部を押さえることにより臀部の形状を補正する。特許文献１に開示される下肢用衣類はその一例であり、臀部の外縁に沿って形成される強緊締力部を備える。
【先行技術文献】
【特許文献】
【０００３】
【特許文献１】特許第４４９３０４７号公報
【発明の概要】
【発明が解決しようとする課題】
【０００４】
特許文献１の下肢用衣類によれば、強緊締力部が股関節を大腿外側から強く押さえるため、ユーザーが脚を動かしにくいと感じるおそれがある。
本発明の目的は、臀部の形状を補正し、さらに脚の動きを妨げにくい下肢用衣類を提供することである。
【課題を解決するための手段】
【０００５】
〔１〕本発明の一形態に従う下肢用衣類は、背面の臀部まわりと対応する部分である上方部分、大腿外側面の大転子と対応する部分である第１の外側部分、大腿外側面の大転子よりも下方の部分と対応する部分である第２の外側部分、および、大腿の正面と対応する部分である正面部分を含む大腿強緊締力部を備え、前記正面部分は、上端が前記第２の外側部分と連続し、前記第１の外側部分および前記第２の外側部分を大腿の外側面に押さえつけるものであり、大腿の内側面側に向かうにつれて下方側に傾斜し、前記第１の外側部分の緊締力が前記第２の外側部分の緊締力よりも弱い。
【０００６】
臀部の形状を補正するための下肢用衣類は、一般に臀部を下方から上方に引き上げることにより臀部の形状を美しい形状に整えることを意図している。一方、本願発明者は臀部の形状に影響を及ぼす各種の事項について検討した結果、大腿の外側部分における臀部の膨らみも臀部の形状の美しさに大きく影響することに着目した。大腿の外側部分における臀部の膨らみが押さえられる場合、下方から上方に引き上げる従来の補正が臀部に加えられなくとも臀部の形状が美しい形状に補正される。また、大腿の外側部分における臀部の膨らみを押さえる補正に加えて従来の補正が臀部に加えられる場合には、臀部の形状が一層美しい形状に補正される。
【０００７】
また、本願発明者は、上記事項に加え、大腿の外側部分における臀部の膨らみを適切に押さえるためには、大腿外側面における大転子と対応する部分、および、大腿外側面における大転子よりも下方の部分を押さえることが好ましい点についても着目した。
【０００８】
本下肢用衣類を着用するユーザーによれば、大腿外側面における大転子と対応する部分、および、大腿外側面における大転子よりも下方の部分が大腿強緊締力部により押さえられるため、臀部の形状が美しい形状に補正されやすい。また、第１の外側部分の緊締力が第２の外側部分の緊締力よりも弱い。このため、第１の外側部分の緊締力が第２の外側部分の緊締力と同じまたは強い場合と比較して、ユーザーが脚を動かしやすい。このように、本下肢用衣類は臀部の形状を補正し、さらに脚の動きを妨げにくい。
【０００９】
〔２〕前記下肢用衣類に従属する一形態によれば、前記正面部分は、前記第２の外側部分から大腿の内側面側に向かうにつれて下方側に傾斜する帯形状を有する。
〔３〕前記下肢用衣類に従属する一形態によれば、臀部の外縁と対応する部分である臀部強緊締力部をさらに備える。
本下肢用衣類を使用するユーザーによれば、臀部強緊締力部により臀部が下方から上方に持ち上げられやすい。このため、臀部の形状が一層美しい形状に補正される。
【００１０】
〔４〕前記下肢用衣類に従属する一形態によれば、大腿正面における大腿の付け根の内側と対応する部分が前記大腿強緊締力部の緊締力よりも弱い。
本下肢用衣類を使用するユーザーによれば、大腿の付け根の内側と対応する部分、すなわち、大腿の外側面側と比較して段差が形成されやすい部分の緊締力が弱いため、その部分に段差が形成されにくい。このため、臀部の形状の補正にともない他の部分の形状が崩れるおそれが低減される。
【００１１】
〔５〕前記下肢用衣類に従属する一形態によれば、前記大腿強緊締力部は、前記正面部分の下端部である大腿内側の部分から内腿を通過して臀部の内側部分の下端に向けて伸びる第１の背面部分をさらに含む。
【００１２】
本下肢用衣類によれば、第２の外側部分に作用する反力が第１の背面部分によっても受けられるため、第２の外側部分が大腿強緊締力部により大腿の外側面にしっかり押し付けられる。このため、臀部の形状を補正する効果が一層高められる。
【００１３】
〔６〕前記下肢用衣類に従属する一形態によれば、前記第１の背面部分の形状が縦長形状である。
本下肢用衣類のユーザーによれば、大腿に対して斜めに伸びる緊締力部と比較して大腿に段差を形成しにくい縦長形状の第１の背面部分により大腿の背面が補正されるため、大腿の形状が美しい形状に補正されやすい。
【００１４】
〔７〕前記下肢用衣類に従属する一形態によれば、前記第１の背面部分よりも大腿内側に形成され、前記第１の背面部分に沿って上下方向に伸びる内腿弱緊締力部をさらに備える。
【００１５】
本下肢用衣類を使用するユーザーによれば、大腿の外側面側と比較して段差が形成されやすい大腿内側の緊締力が弱いため、その部分に段差が形成されにくい。このため、臀部の形状の補正にともない他の部分の形状が崩れるおそれが低減される。
【００１６】
〔８〕前記下肢用衣類に従属する一形態によれば、前記大腿強緊締力部は、前記第１の外側部分および前記第２の外側部分の少なくとも一方と繋がり、大腿背面のうちの上方と対応する部分である第２の背面部分をさらに含む。
【００１７】
本下肢用衣類によれば、第１の外側部分および第２の外側部分の少なくとも一方に作用する反力が第２の背面部分によっても受けられるため、第１の外側部分および第２の外側部分の少なくとも一方が大腿強緊締力部により大腿の外側面にしっかり押し付けられる。このため、臀部の形状を補正する効果が一層高められる。
【００１８】
〔９〕前記下肢用衣類に従属する一形態によれば、前記第２の背面部分の大腿内側の部分が前記第１の背面部分と繋がる。
本下肢用衣類によれば、大腿強緊締力部が大腿を一周しているため、第１の外側部分および第２の外側部分の少なくとも一方が大腿強緊締力部により大腿の外側面にさらにしっかり押し付けられる。このため、臀部の形状を補正する効果が一層高められる。
【００１９】
〔１０〕前記下肢用衣類に従属する一形態によれば、前記第２の外側部分の横方向の緊締力が前記第２の外側部分の縦方向の緊締力よりも強い。
本下肢用衣類によれば、第２の外側部分が大腿の外側面から反力を受けても大腿の周方向に伸びにくい。このため、大腿外側面における大転子よりも下方の部分が大腿強緊締力部によりしっかり押さえられる。
【００２０】
〔１１〕前記下肢用衣類に従属する一形態によれば、前記大腿強緊締力部は緊締力の弱い部分を構成する繊維材料とは異なる繊維材料をさらに含むことにより形成された部分である。
【発明の効果】
【００２１】
本下肢用衣類は、臀部の形状を補正し、さらに脚の動きを妨げにくい。
【図面の簡単な説明】
【００２２】
【図１】実施形態の下肢用衣類の正面側の斜視図。
【図２】図１の下肢用衣類の背面側の斜視図。
【図３】図１の下肢用衣類の左側生地の展開図。
【図４】図１の下肢用衣類と人体との関係を示す模式図。
【図５】図１の下肢用衣類の作用を説明する模式図。
【図６】変形例の下肢用衣類の左側生地の展開図。
【図７】変形例の下肢用衣類の正面側の斜視図。
【発明を実施するための形態】
【００２３】
図１および図２を参照して、下肢用衣類１０の構成について説明する。
図１に示されるように、下肢用衣類１０は、例えばガードルであり、ユーザーの腰から膝上までを覆う。下肢用衣類１０は、右半身を覆う右側生地１１、左半身を覆う左側生地１２、腹部の正面側中央を覆う腹部生地１３、および、ウエスト１４が互いに縫い合わせられることにより構成されている。右側生地１１と左側生地１２とは、互いに左右対称である。ウエスト１４は、ゴム生地である。
【００２４】
右側生地１１、左側生地１２、および、腹部生地１３は、生地の一部または全部の緊締力が他の部分の緊締力よりも強くなっている。具体的には、異なる複数の繊維材料を含む強緊締力生地の一部において１つの繊維材料のみを格子状に除去することにより、生地の緊締力が強緊締力よりも緊締力が弱い中緊締力に低下する。また、強緊締力生地の一部において１つの繊維材料のみを全体的に除去することにより、生地の緊締力が中緊締力よりも緊締力が弱い弱緊締力に低下する。このようにして、下肢用衣類１０の緊締力は、強緊締力、中緊締力、および、弱緊締力を含む。なお、異なる複数の繊維材料としては、例えば、ナイロンおよびポリエステルを採用できる。この場合、除去される１つの繊維材料はポリエステルである。
【００２５】
腹部生地１３の緊締力は、中緊締力である。
右側生地１１および左側生地１２は、強緊締力および中緊締力を含む強緊締力部２０と、弱緊締力部により構成される弱緊締力部４０とを備えている。
【００２６】
強緊締力部２０は、脇腹を押さえるための腹部強緊締力部２１、臀部の縁を押さえるための臀部強緊締力部２２（図２参照）、および、大腿の外側を押さえるための大腿強緊締力部３０を備えている。
【００２７】
腹部強緊締力部２１は、腹部生地１３の外側において腹部生地１３と連続している。腹部強緊締力部２１は、大腿よりも上方に位置している。腹部強緊締力部２１の緊締力は、中緊締力である。腹部強緊締力部２１は、腹部生地１３とともに、腹部の形状を補整する。
【００２８】
図２に示されるように、臀部強緊締力部２２は、臀部の外縁と対応する部分に配置されている。臀部強緊締力部２２は、臀部の外縁に沿った形状であり、臀部の下縁および脇縁を覆っている。臀部強緊締力部２２の緊締力は、中緊締力である。このため、臀部強緊締力部２２は、ユーザーの身体に臀部の下縁を下方から上方に押し上げ、かつ、下縁および脇縁の膨らみを押さえ付ける力を付与する。
【００２９】
大腿強緊締力部３０は、背面の臀部まわりと対応する上方部分３１、図１に示される大腿外側面の大転子および大転子よりも下方の部分と対応する外側部分３２、正面の大腿と対応する正面部分３３、および、大腿背面の大腿内側面と対応する背面部分３４を備えている。
【００３０】
図２に示されるように、上方部分３１は、臀部強緊締力部２２と連続している。上方部分３１の緊締力は、中緊締力である。
図１に示されるように、外側部分３２は、上方部分３１の下端と連続している。外側部分３２は、大腿の上方、すなわち、高さ方向において臀部と対応する部分の外側面を覆う。外側部分３２は、大転子（図４参照）と対応する第１の外側部分３２Ａ、および、大転子よりも下方と対応する第２の外側部分３２Ｂを備えている。第１の外側部分３２Ａの緊締力は、中緊締力である。第２の外側部分３２Ｂの緊締力は、強緊締力である。このため、第１の外側部分３２Ａの緊締力は、第２の外側部分３２Ｂの緊締力よりも弱い。
【００３１】
図３に示されるように、第２の外側部分３２Ｂは、上底が下底よりも短い台形形状である。すなわち、第２の外側部分３２Ｂは、上方から下方にむかうにつれて、幅が広くなっている。また、第２の外側部分３２Ｂの横方向の緊締力は、第２の外側部分３２Ｂの縦方向の緊締力よりも強い。
【００３２】
図１に示されるように、正面部分３３は、外側部分３２の下端と連続している。正面部分３３は、帯形状を有し、大腿の外側面側から大腿の内側面側に向かうにつれて下方に傾斜している。図２に示されるように、正面部分３３の下端部３３Ａは、大腿内側面まで到達している。正面部分３３の緊締力は、中緊締力である。
【００３３】
背面部分３４は、上方部分３１と連続している。背面部分３４は、大腿背面の内腿側と対応する第１の背面部分３４Ａと、大腿背面のうちの上方かつ外側と対応する第２の背面部分３４Ｂとを備えている。
【００３４】
第１の背面部分３４Ａは、正面部分３３における大腿内側の下端部３３Ａから臀部の内側部分の下端に向かって伸びる。第１の背面部分３４Ａは、下端部３３Ａと繋がっている。第１の背面部分３４Ａの形状は、縦長形状である。第１の背面部分３４Ａの緊締力は、中緊締力である。
【００３５】
第２の背面部分３４Ｂは、第１の外側部分３２Ａ、第２の外側部分３２Ｂ、および、上方部分３１と繋がっている。第２の背面部分３４Ｂの大腿内側の部分は、第１の外側部分３２Ａと繋がっている。第２の背面部分３４Ｂの緊締力は、中緊締力である。
【００３６】
弱緊締力部４０は、大腿内側を覆う内腿弱緊締力部４１、大腿外側を覆う外腿弱緊締力部４２、および、臀部の外縁よりも内側を覆う臀部弱緊締力部４３（図２参照）を備えている。
【００３７】
図２に示されるように、内腿弱緊締力部４１は、第１の背面部分３４Ａに沿って上下方向に伸びる。内腿弱緊締力部４１は、腹部強緊締力部２１の下縁、正面部分３３の上縁、および、第１の背面部分３４Ａの内側縁に囲まれた部分である。腹部強緊締力部２１は、大腿よりも上方に配置されている。正面部分３３は、大腿の付け根よりも下方に配置されている。このため、内腿弱緊締力部４１は、大腿正面において大腿の付け根を覆っている。すなわち、大腿の付け根の内側と対応する部分の緊締力が強緊締力部２０の緊締力よりも弱い。
【００３８】
外腿弱緊締力部４２は、図１に示す正面部分３３の下縁、図２に示す第２の背面部分３４Ｂの下縁、第１の背面部分の外側縁、および、下肢用衣類１０の裾に囲まれた部分である。外腿弱緊締力部４２は、大腿外側面のうちの大臀筋の下端よりも下方の部分を覆っている。
【００３９】
図５を参照して、下肢用衣類１０の作用について説明する。
発明者は、臀部の外形形状により、臀部の大きさに対する印象が異なることを発見した。例えば、図５の人物１００、２００、および、３００は、それぞれ臀部まわりの形状が異なるユーザーの体型を示している。
【００４０】
人物１００は、最も臀部および臀部まわりの贅肉が少ない。人物２００は、臀部、腰回り、および、大腿側面Ｘにおいて人物１００よりも贅肉が多く、横幅が大きい。人物３００は、腰回りは人物１００よりも贅肉が多く、かつ、人物２００よりも贅肉が少なく、臀部および大腿側面Ｘの贅肉は人物２００よりも多い。発明者は、人物１００が最も臀部が小さく見え、人物２００および人物３００は、人物１００よりも臀部が大きく見えることに着目した。
【００４１】
発明者はこの発見に基づいて、臀部の大きさに対する印象が異なる要因を解析した。この結果、発明者は、以下に述べるように、大腿側面Ｘの外側への膨らみが臀部の大きさに対する印象に大きく影響していることを突き止めた。
【００４２】
例えば、人物２０１は、人物２００の大腿側面Ｘの膨らみのみを小さくした以外は人物２００と同じ体型である。人物２０１は、臀部および腰回りの大きさは人物２００とほとんど変わらないにも関わらず、人物２００よりも臀部が小さく見える。このため、人物２０１の臀部の大きさに対する印象が、人物２００よりも人物１００に近づいている。
【００４３】
人物３０１は、人物３００の大腿側面Ｘの膨らみのみを小さくした以外は人物３００と同じ体型である。人物３０１は、臀部および腰まわりの大きさは人物３００とほとんど変わらないにも関わらず、人物３００よりも臀部が小さく見える。このため、人物３０１の臀部の大きさに対する印象が、人物３００よりも人物１００に近づいている。
【００４４】
下肢用衣類１０は、外側部分３２が臀部の大きさに対する印象に影響の大きい大腿側面Ｘの膨らみを外側から内側に向かって押さえる。このため、臀部を効果的に小さく見せることができる。
【００４５】
そして、外側部分３２は、第２の外側部分３２Ｂと、第２の外側部分３２Ｂよりも緊締力の弱い第１の外側部分３２Ａを備えている。このため、大腿強緊締力部３０が大転子を押さえる力を弱くできる。このため、大腿強緊締力部３０が大転子を含んで形成される股関節の動きを阻害しにくい。このため、ユーザーは脚を動かしやすい。
【００４６】
本実施形態の下肢用衣類１０は以下の効果を奏する。
（１）下肢用衣類１０を着用するユーザーは、大腿外側面における大転子と対応する部分、および、大腿外側面における大転子よりも下方の部分が大腿強緊締力部３０により押さえられる。このため、臀部の形状が美しい形状に補正されやすい。また、第１の外側部分３２Ａの緊締力が第２の外側部分３２Ｂの緊締力よりも弱いため、第１の外側部分３２Ａの緊締力が第２の外側部分３２Ｂの緊締力と同じまたは強い場合と比較して、ユーザーが脚を動かしやすい。このように、下肢用衣類１０は臀部の形状を補正し、さらに脚の動きを妨げにくい。
【００４７】
（２）正面部分３３を水平に伸びる帯状にした場合、下肢用衣類１０の大腿上方における緊締力が過度に高くなり、ユーザーが窮屈に感じるおそれがある。正面部分３３は、大腿の内側面側に向かうにつれて下方側に傾斜している。このため、正面部分３３から大腿上方にかけられる力を大腿の高さ方向において分散させることができる。このため、大腿上方において段差が形成されにくくなり、臀部の形状の補正にともない他の部分の形状が崩れるおそれが低減される。また、大腿上方、具体的には、大腿のうちの正面部分３３よりも上方と対応する部分の大腿強緊締力部３０の面積を低減でき、緊締力が過度に高くなることを抑制できる。
【００４８】
（３）下肢用衣類１０を着用するユーザーは、臀部強緊締力部２２により臀部が下方から上方に持ち上げられやすい。また、臀部の外側の膨らみが押さえられやすい。このため、臀部の形状が一層美しい形状に補正される。
【００４９】
（４）下肢用衣類１０を着用するユーザーは、大腿の付け根の内側と対応する部分、すなわち、大腿の外側面側と比較して段差が形成されやすい内腿弱緊締力部４１の緊締力が弱い。このため、その部分に段差が形成されにくい。このため、臀部の形状の補正にともない他の部分の形状が崩れるおそれが低減される。
【００５０】
（５）下肢用衣類１０は、第２の外側部分３２Ｂに作用する反力が第１の背面部分３４Ａによっても受けられる。このため、第２の外側部分３２Ｂが大腿強緊締力部３０により大腿の外側面にしっかり押し付けられる。このため、臀部の形状を補正する効果が一層高められる。
【００５１】
（６）下肢用衣類１０を着用するユーザーは、大腿に対して斜めに伸びる仮想の緊締力部と比較して大腿に段差を形成しにくい縦長形状の第１の背面部分３４Ａにより大腿の背面が補正される。このため、大腿の形状が美しい形状に補正されやすい。
【００５２】
（７）下肢用衣類１０は、大腿の外側面側と比較して段差が形成されやすい大腿内側の緊締力が弱い。このため、下肢用衣類１０を着用するユーザーは、その部分に段差が形成されにくい。このため、臀部の形状の補正にともない他の部分の形状が崩れるおそれが低減される。
【００５３】
（８）下肢用衣類１０は、第１の外側部分３２Ａおよび第２の外側部分３２Ｂに作用する反力が第２の背面部分３４Ｂによっても受けられる。このため、第１の外側部分３２Ａおよび第２の外側部分３２Ｂが大腿強緊締力部３０により大腿の外側面にしっかり押し付けられる。このため、臀部の形状を補正する効果が一層高められる。
【００５４】
（９）下肢用衣類１０は、大腿強緊締力部３０が大腿を一周している。このため、第１の外側部分３２Ａおよび第２の外側部分３２Ｂの少なくとも一方が大腿強緊締力部３０により大腿の外側面にさらにしっかり押し付けられる。このため、臀部の形状を補正する効果が一層高められる。
【００５５】
（１０）下肢用衣類１０は、第２の外側部分３２Ｂの横方向の緊締力が第２の外側部分３２Ｂの縦方向の緊締力よりも強い。このため、第２の外側部分３２Ｂが大腿の外側面から反力を受けても大腿の周方向に伸びにくい。このため、大腿外側面における大転子よりも下方の部分が大腿強緊締力部３０によりしっかり押さえられる。
【００５６】
（１１）大腿強緊締力部３０は緊締力の弱い部分を構成する繊維材料とは異なる繊維材料をさらに含むことにより形成された部分である。このため、緊締力の異なる生地を互いに縫い合わせて下肢用衣類１０を形成する場合と比較して、下肢用衣類１０の縫製にかかる手間を低減できる。また、下肢用衣類１０の縫い目による段差が少ないため、着心地が良い。
【００５７】
本下肢用衣類が取り得る具体的な形態は、上記実施形態に例示された形態に限定されない。本下肢用衣類は、上記実施形態とは異なる各種の形態を取り得る。以下に示される上記実施形態の変形例は、本下肢用衣類が取り得る各種の形態の一例である。
【００５８】
・図６に示すように、右側生地１１および左側生地１２の大腿強緊締力部３０と対応する部分の全体の緊締力を中緊締力とし、第２の外側部分３２Ｂと対応する部分に部分生地５０を取り付けることもできる。この場合、大腿強緊締力部３０は、右側生地１１および左側生地１２の大腿強緊締力部３０と対応する部分と、部分生地５０とにより構成される。部分生地５０の緊締力は、弱緊締力、中緊締力、および、強緊締力のいずれかと同じにすることもできる。
【００５９】
・上記変形例において、右側生地１１および左側生地１２の大腿強緊締力部３０と対応する部分と、部分生地５０との間に、さらに別の生地である自由生地を配置することもできる。自由生地は、部分生地５０と類似した形状を有する。自由生地の上辺および下辺は、右側生地１１または左側生地１２に縫い付けられ、右辺および左辺は右側生地１１または左側生地１２に縫い付けられていない。このため、右側生地１１および左側生地１２と部分生地５０と幅方向において独立して伸縮することができる。このため、着用時等に右側生地１１および左側生地１２が幅方向に伸びるとき、自由生地は右側生地１１および左側生地１２の伸縮を妨げにくい。このため、第２の外側部分３２Ｂの緊締力を高めることに起因して下肢用衣類１０が着用しにくくなることを抑制できる。他方、ユーザーが下肢用衣類１０を着用しているときには、自由生地がユーザーの大腿外側面を効果的に押さえることができる。
【００６０】
なお、自由生地の上辺および下辺の少なくとも一方が、右側生地１１または左側生地１２に縫い付けられない構成に変更することもできる。さらに、右辺および左辺の一方を右側生地１１および左側生地１２に縫い付けるようにすることもできる。
【００６１】
・正面部分３３の下端部３３Ａを、大腿正面の幅方向の中央部分に形成することもできる。この場合、下端部３３Ａと第１の背面部分３４Ａとが連続しないようにすることもできる。
【００６２】
・図７に示すように、大腿の内側面側に向かうにつれて上方側に傾斜する正面部分１３３に変更することもできる。正面部分１３３の内側面側の端部は、第１の背面部分３４Ａ（図２参照）の上方側の部分に接続される。この場合、内腿弱緊締力部１４１は、正面部分１３３により、上方側の部分１４１Ａと下方側の部分１４１Ｂとに区画される。この構成においても、実施形態の（２）の効果に準じた効果を得ることができる。なお、正面部分１３３の内側面側の端部を大腿正面の幅方向の中間部分に形成することもできる。この場合、正面部分１３３と第１の背面部分３４Ａとは不連続になる。また、正面部分１３３の内側面側の端部が腹部生地１３に接続するようにさらに変更することもできる。
【００６３】
・背面部分３４を、大腿背面の内側に向かうにつれて下方に傾斜する帯形状に変更することもできる。
・第１の背面部分３４Ａを省略し、第１の背面部分３４Ａと対応する部分の緊締力を中緊締力よりも弱い緊締力にすることもできる。なお、中緊締力よりも弱い緊締力は、弱緊締力、および、弱緊締力よりも弱い緊締力を含む。
【００６４】
・第２の背面部分３４Ｂを省略し、第２の背面部分３４Ｂと対応する部分の緊締力を第３緊締力にすることもできる。
・上方部分３１、正面部分３３、第１の背面部分３４Ａ、および、第２の背面部分３４Ｂの少なくとも１つの少なくとも一部の緊締力を強緊締力にすることもできる。
【００６５】
・腹部強緊締力部２１を省略し、腹部強緊締力部２１と対応する部分の緊締力を中緊締力よりも弱い緊締力にすることもできる。
・臀部強緊締力部２２の緊締力を、中緊締力よりも強い緊締力にすることもできる。なお、中緊締力よりも強い緊締力は、強緊締力、および、強緊締力よりも強い緊締力を含む。
【００６６】
・臀部強緊締力部２２を省略し、臀部強緊締力部２２と対応する部分を中緊締力よりも弱い緊締力にすることもできる。この場合も、大腿強緊締力部３０が、大腿外側を押さえるため、臀部の形状の補正効果を奏することができる。
【００６７】
・大腿強緊締力部３０と臀部強緊締力部２２とを不連続にすることもできる。例えば、正面部分３３の下端部３３Ａを大腿正面の幅方向の中間部分に形成する。
・強緊締力部２０と弱緊締力部４０とを異なる生地により構成し、互いに縫い合わせることにより、右側生地１１および左側生地１２を形成することもできる。
【００６８】
・右側生地１１および左側生地１２の全体の緊締力を中緊締力よりも弱い緊締力とし、右側生地１１および左側生地１２と異なる生地を右側生地１１および左側生地１２縫い合わせる、または、接着することにより、強緊締力部２０を形成することもできる。この場合、第２の外側部分３２Ｂと対応する部分は、異なる生地を２重にすることもできる。または、異なる生地の第２の外側部分３２Ｂと対応する部分の緊締力を、他の部分よりも強くすることもできる。
【００６９】
・上記変形例において、腹部強緊締力部２１、臀部強緊締力部２２、および、大腿強緊締力部３０の１または２つを、右側生地１１および左側生地１２に異なる生地を縫い合わせる、または、接着することにより形成することもできる。
【００７０】
・下肢用衣類１０の裾を膝以下の部分、例えば、ふくらはぎ、または、足首と対応する部分に形成することもできる。この場合、下肢用衣類１０は、ユーザーの腰から膝下までを覆う。
【００７１】
・下肢用衣類１０の裾を膝上よりも上方、例えば、図７に示すように外側部分３２の下端と同じ位置に形成することもできる。
【符号の説明】
【００７２】
１０…下肢用衣類、１１…右側生地、１２…左側生地、１３…腹部生地、１４…ウエスト、２０…強緊締力部、２１…腹部強緊締力部、２２…臀部強緊締力部、３０…大腿強緊締力部、３１…上方部分、３２…外側部分、３２Ａ…第１の外側部分、３２Ｂ…第２の外側部分、３３…正面部分、３３Ａ…下端部、３４…背面部分、３４Ａ…第１の背面部分、３４Ｂ…第２の背面部分、４０…弱緊締力部、４１…内腿弱緊締力部、４２…外腿弱緊締力部、４３…臀部弱緊締力部。
【要約】
【課題】臀部の形状を補正し、さらに脚の動きを妨げにくい下肢用衣類を提供する。
【解決手段】下肢用衣類１０は、大腿強緊締力部３０を備える。大腿強緊締力部３０は、背面の臀部まわりと対応する部分である上方部分３１、大腿外側面の大転子と対応する部分である第１の外側部分３２Ａ、大転子よりも下方の部分と対応する部分である第２の外側部分３２Ｂ、および、大腿の正面と対応する部分である正面部分３３を含む。正面部分３３は、大腿の内側面側に向かうにつれて下方側に傾斜する。第１の外側部分３２Ａの緊締力は、第２の外側部分３２Ｂの緊締力よりも弱い。
【選択図】図１【図１】
0005735164.tif 000002
【図２】
0005735164.tif 000003
【図３】
0005735164.tif 000004
【図４】
0005735164.tif 000005
【図５】
0005735164.tif 000006
【図６】
0005735164.tif 000007
【図７】
0005735164.tif 000008